【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
光源手段から発せられた光束を偏向走査する偏向手段と、前記偏向手段の偏向面により偏向走査された光束を複数の感光ドラム上に結像させる結像光学系と、を有する走査ユニットと、を１以上有する光走査装置であって、
前記偏向手段から前記複数の感光ドラムへ至る複数の光路には、各々副走査方向に光路を折り返す反射部材が少なくとも１つ以上配置されており、かつ、
前記複数の光路は、反射部材の枚数が異なっており、かつ、
前記複数の光路の各光路に配置された全ての反射部材の反射面に入射する光束の偏光方向は、前記結像光学系の軸上でＳ偏光であり、かつ、
前記複数の光路の各光路に配置された全ての反射部材の反射面は、同一の膜構成より成り、かつ、
前記複数の光路の各光路の副走査方向における前記反射部材の反射面による前記結像光学系の軸上での折り返し角度の合計の前記複数の光路の各光路毎の差は、４０度以内であることを特徴とする光走査装置。
【請求項２】
前記複数の光路のうち他の光路に比べて反射部材が少ない光路では、前記結像光学系の軸上における光束の前記反射部材への副走査方向における入射角度が４０度以上の反射部材を含むことを特徴とする請求項１に記載の光走査装置。
【請求項３】
前記複数の光路のうち他の光路に比べて反射部材が多い光路では、前記結像光学系の軸上における光束の前記反射部材への副走査方向における入射角度が３０度以下の反射部材を含むことを特徴とする請求項１又は２に記載の光走査装置。
【請求項４】
前記結像光学系の軸上における光束の前記反射部材への副走査方向における入射角度をβ、前記結像光学系の軸外における光束の前記反射部材への副走査方向における入射角度をδ、前記反射部材にＳ偏光が入射角度δで入射したときの反射率をＲｓ（δ）、前記反射部材にＰ偏光が入射角度δで入射したときの反射率をＲｐ（δ）とするとき、
δ≧５０度の場合、
【数１】
2009169248.tif 000001
ただし、
【数２】
2009169248.tif 000002
の条件を満たすことを特徴とする請求項１乃至３の何れか一項に記載の光走査装置。 
【請求項５】
前記結像光学系の軸上における光束の前記反射部材への副走査方向における入射角度をβ、前記結像光学系の軸外における光束の前記反射部材への副走査方向における入射角度をδ、前記反射部材にＳ偏光が入射角度δで入射したときの反射率をＲｓ（δ）、前記反射部材にＰ偏光が入射角度δで入射したときの反射率をＲｐ（δ）とするとき、
δ≦５０度の場合、
【数３】
2009169248.tif 000003
ただし、
【数４】
2009169248.tif 000004
の条件を満たすことを特徴とする請求項１乃至４の何れか一項に記載の光走査装置。
【請求項６】
請求項１乃至５の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】
請求項１乃至５の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１７
【補正方法】変更
【補正の内容】
【００１７】
請求項１の発明の光走査装置は、光源手段から発せられた光束を偏向走査する偏向手段と、前記偏向手段の偏向面により偏向走査された光束を複数の感光ドラム上に結像させる結像光学系と、を有する走査ユニットと、を１以上有する光走査装置であって、
前記偏向手段から前記複数の感光ドラムへ至る複数の光路には、各々副走査方向に光路を折り返す反射部材が少なくとも１つ以上配置されており、かつ、
前記複数の光路は、反射部材の枚数が異なっており、かつ、
前記複数の光路の各光路に配置された全ての反射部材の反射面に入射する光束の偏光方向は、前記結像光学系の軸上でＳ偏光であり、かつ、
前記複数の光路の各光路に配置された全ての反射部材の反射面は、同一の膜構成より成り、かつ、
前記複数の光路の各光路の副走査方向における前記反射部材の反射面による前記結像光学系の軸上での折り返し角度の合計の前記複数の光路の各光路毎の差は、４０度以内であることを特徴としている。
【手続補正３】
【補正対象書類名】明細書
【補正対象項目名】００１８
【補正方法】変更
【補正の内容】
【００１８】
請求項２の発明は請求項１の発明において、前記複数の光路のうち他の光路に比べて反射部材が少ない光路では、前記結像光学系の軸上における光束の前記反射部材への副走査方向における入射角度が４０度以上の反射部材を含むことを特徴としている。
【手続補正４】
【補正対象書類名】明細書
【補正対象項目名】００１９
【補正方法】変更
【補正の内容】
【００１９】
請求項３の発明は請求項１又は２の発明において、前記複数の光路のうち他の光路に比べて反射部材が多い光路では、前記結像光学系の軸上における光束の前記反射部材への副走査方向における入射角度が３０度以下の反射部材を含むことを特徴としている。
【手続補正５】
【補正対象書類名】明細書
【補正対象項目名】００２０
【補正方法】変更
【補正の内容】
【００２０】
請求項４の発明は請求項１乃至３の何れか一項の発明において、前記結像光学系の軸上における光束の前記反射部材への副走査方向における入射角度をβ、前記結像光学系の軸外における光束の前記反射部材への副走査方向における入射角度をδ、前記反射部材にＳ偏光が入射角度δで入射したときの反射率をＲｓ（δ）、前記反射部材にＰ偏光が入射角度δで入射したときの反射率をＲｐ（δ）とするとき、
δ≧５０度の場合、
【数１】
2009169248.tif 000005
ただし、
【数２】
2009169248.tif 000006
の条件を満たすことを特徴としている。
【手続補正６】
【補正対象書類名】明細書
【補正対象項目名】００２１
【補正方法】変更
【補正の内容】
【００２１】
請求項５の発明は請求項１乃至４の何れか一項の発明において、前記結像光学系の軸上における光束の前記反射部材への副走査方向における入射角度をβ、前記結像光学系の軸外における光束の前記反射部材への副走査方向における入射角度をδ、前記反射部材にＳ偏光が入射角度δで入射したときの反射率をＲｓ（δ）、前記反射部材にＰ偏光が入射角度δで入射したときの反射率をＲｐ（δ）とするとき、
δ≦５０度の場合、
【数３】
2009169248.tif 000007
ただし、
【数４】
2009169248.tif 000008
の条件を満たすことを特徴としている。
【手続補正７】
【補正対象書類名】明細書
【補正対象項目名】００２２
【補正方法】変更
【補正の内容】
【００２２】
請求項６の発明の画像形成装置は、請求項１乃至５の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正８】
【補正対象書類名】明細書
【補正対象項目名】００２３
【補正方法】変更
【補正の内容】
【００２３】
請求項７の発明の画像形成装置は、請求項１乃至５の何れか一項に記載の光走査装置と、外部機器から入力したコードデータを画像信号に変換して前記光走査装置に入力せしめるプリンタコントローラとを有していることを特徴としている。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３６
【補正方法】変更
【補正の内容】
【００３６】
本発明の光走査装置は、光源手段と、前記光源手段から発せられた光束を偏向走査する偏向手段と、前記偏向手段の偏向面により偏向走査された光束を複数の感光ドラム上に結像させる結像光学系を有する走査ユニットを、１以上有している。さらに偏向手段から複数の感光ドラムへ至る複数の光路には、各々副走査方向に光路を折り返す反射部材が１以上配置されており、前記複数の光路のうちの少なくとも１つの光路は、前記反射部材を複数有している。このとき、各光路の副走査方向の折り返し角度の合計の各光路毎の差は４０度以内であり、各光路において、各反射部材に入射する光束の偏光方向は、前記結像光学系の軸上でＳ偏光であり、各反射部材の反射面は同一の膜構成より成っている。
【手続補正２０】
【補正対象書類名】明細書
【補正対象項目名】０１０８
【補正方法】変更
【補正の内容】
【０１０８】
つまりδ≧５０度の場合、
【手続補正２１】
【補正対象書類名】明細書
【補正対象項目名】０１１４
【補正方法】変更
【補正の内容】
【０１１４】
つまりδ≦５０度の場合、